(57)【特許請求の範囲】
【請求項１】
間隔を存して複数立設されたたて枠と、これらたて枠の上部に取り付けられた上枠と、前記たて枠の下部に取り付けられた下枠と、隣接する前記たて枠間に渡る開口上枠及び開口下枠により構成された開口部と、該開口部の上側に対応して横方向に渡された横木としてのまぐさとを備えた枠組壁工法による建築構造体であって、
前記まぐさは、建築構造体の一側端の前記たて枠から他側端の前記たて枠に渡って設けられ、これらたて枠のそれぞれに固定されていることを特徴とする建築構造体。
【請求項２】
前記まぐさは、前記各たて枠のそれぞれに形成された切欠部に載置され、当該たて枠に固定されていることを特徴とする請求項１に記載の建築構造体。
【請求項３】
前記開口部の一側及び／又は他側に位置する前記たて枠の一側及び／又は他側に、前記まぐさの荷重を受ける補強材を設けたことを特徴とする請求項１又は請求項２に記載の建築構造体。
【発明の詳細な説明】
【技術分野】
【０００１】
本発明は、間隔を存して複数立設されたたて枠と、隣接するたて枠間に設けられた開口部と、この開口部の上側に対応して横方向に渡されたまぐさとを備えた建築構造体に関するものである。
【背景技術】
【０００２】
従来、建築物（建物）の建築には枠組壁工法と称される建築方法があり、この通常枠組壁工法に使う柱材（枠材）の長さは２．４ｍ〜２．７ｍとされている。この枠組壁工法では柱材が規格化されており、横断面寸法が２インチ×４インチ角の材木を多く使用していることから、柱材の標準的な呼び名を２０４（ツーバイフォー）と称している。他に、材木の断面寸法が２インチ×６インチ角を２０６（ツーバイシックス）、２インチ×８インチ角を２０８（ツーバイエイト）、２インチ×１０インチ角を２１０（ツーバイテン）、２インチ×１２インチ角を２１２（ツーバイトエレブ）などがある。尚、枠組壁工法では骨組み構造に適した硬質の柱材（材木）が採用されており、この枠組壁工法の材木は、海外から大量に供給され、且つ、建築構造体に適している、堅く強度の高い輸入材木が用いられている。
【０００３】
この建築構造体１１０（枠組壁）は、図９に示すように下枠１２６上に約５００ｍｍ間隔で複数の柱材（以降たて枠１２２と称す）が立設されている。これらのたて枠１２２間には断熱材が設けられると共に、上端には上枠１２４が配置されている。この建築構造体１１０には、出入り口や窓、扉などが設けられる開口部１２８上側に横木（以降まぐさ１４６と称す）が設けられている。
【０００４】
開口部１２８両端のたて枠１２２内側には、まぐさ受け１３０が併設され、両まぐさ受け１３０の上端に渡ってはまぐさ１４６が架け渡される。そして、建築構造体１１０が複数組み合わされることにより、建築物が造られる。このように建築物には、これら下枠１２６、上枠１２４、まぐさ１４６、まぐさ１４６、まぐさ受け１３０などに規格化された標準の材木が大量に用いられる。尚、まぐさ１４６（材木）よりも断熱材の方が、断熱効果が高いのは既に周知である。
【０００５】
即ち、まぐさ１４６は、開口部１２８両側のたて枠１２２内側に併設されたまぐさ受け１３０の上端に架け渡されている。このまぐさ１４６は、一枚では上からの大きな荷重を支えるだけの強度確保できないので、通常は幅の狭い開口部１２８でも２枚或いは複数枚のまぐさ１４６が使用されている。この場合、複数枚のまぐさ１４６の間に所定厚さの合板を挟んで建築構造体１１０の厚さに揃えていた。
【０００６】
また、まぐさ１４６と上枠１２４との間にもたて枠１２２Ａが立設されており、このたて枠１２２Ａを介してまぐさ１４６は、まぐさより上部の荷重を支えていた。係る建築物は、この建築構造体１１０を複数設けることにより骨組みを構成している。尚、開口部１２８部分には、例えばアルミサッシュや障子などの建具が取り付けられる。
【０００７】
一方、たて枠にまぐさ受金物を取り付けて、連結ボルトにてまぐさを連結している住宅ユニットの開口部構造も提案されている。このまぐさは、前述した複数枚のまぐさと同等の厚さで一本のまぐさを構成して強度を確保している。該まぐさの両端部分には、各端面の中央を長手方向に切り込んだ端部スリットを形成している。そして、予めまぐさ受けに固定したまぐさ受金物に、連結ボルトにてまぐさを固定して、まぐさの撓みを向上させていた（特許文献１参照）。
【特許文献１】特開２００４−８４３５１号公報  ここで、日本国内では戦後の荒廃から国策に沿い拡大造林の推進によって、現在森林面積の約７６％という広大な面積に杉が植林されている。該森林は、雪崩、土砂崩れなどの災害を防ぐ役割や、光合成によって二酸化炭素を吸収し地球温暖化を防ぐ役割がある。また、保水力により洪水や渇水を防ぐ役割があるなど森林は重要な役割を担っている。しかし、この広大な森林面積のうち８６％が間伐を要すると言われている。
【発明の開示】
【発明が解決しようとする課題】
【０００８】
上述のように構成された前者及び後者の各建築構造体には、単一の開口部或いは複数の開口部が形成され、これらの各開口部毎にまぐさと、まぐさ受けを設けていた。しかし、開口部の両側に設けたたて枠にまぐさ受けを併設し、そのまぐさ受けの上端にまぐさの両端部を架け渡していたので、まぐさの下部の開口部部分にはたて枠は設けられていない。そこで、まぐさ全体に上部から荷重が加わった場合、どうしてもまぐさの開口部部分が下方に撓んでしまうという不都合があった。
【０００９】
また、開口部上側に複数枚のまぐさ、或いは、複数枚のまぐさと同等の厚さで一本のまぐさを構成して、たて枠と厚さを揃えていたため、まぐさの内側には断熱材を設ける空間が無かった。このため、建築構造体の各たて枠間には断熱材が設けられるが、まぐさを設けた箇所には断熱材が設けられないので、建築物の断熱効果が悪化してしまうという問題があった。
【００１０】
また、杉の間伐材は植林してから２０〜３０年経過後に間引き伐採されたもので樹径は２０〜３０ｃｍであり、間伐材の全長が長いと森林を縫うように搬出しなければならない。このため、間伐材を森林から搬出するのが困難であった。また、杉間伐材は、海外から大量に供給され、且つ、建築構造体に適している堅く強度の高い輸入材木に比較して、長手方向の圧縮強度は殆ど遜色がないが、柔らかいので建築物の土台や梁など、長手方向に直交する方向への曲げには適していなかった。係る杉間伐材は、小物の家具などにしか使用されず、余った杉間伐材は廃棄せざるを得なかった。このため、輸入材木に対して長手方向に遜色のない圧縮強度を生かした杉間伐材の有効利用が求められていた。
【００１１】
本発明は、係る従来技術の課題を解決するために成されたものであり、断熱効果の向上及びコストダウン及び軽量化を図った枠組壁工法による建築構造体を提供することを目的とする。
【課題を解決するための手段】
【００１２】
即ち、本発明の建築構造体は、間隔を存して複数立設されたたて枠と、これらたて枠の上部に取り付けられた上枠と、たて枠の下部に取り付けられた下枠と、隣接するたて枠間に渡る開口上枠及び開口下枠により構成された開口部と、該開口部の上側に対応して横方向に渡された横木としてのまぐさとを備えた枠組壁工法による建築構造体であって、まぐさは、建築構造体の一側端のたて枠から他側端のたて枠に渡って設けられ、これらたて枠のそれぞれに固定されていることを特徴とする。
【００１３】
また、請求項２の発明の建築構造体は、上記において、まぐさは、各たて枠のそれぞれに形成された切欠部に載置され、当該たて枠に固定されていることを特徴とする。
【００１４】
また、請求項３の発明の建築構造体は、請求項１又は請求項２において、開口部の一側及び／又は他側に位置するたて枠の一側及び／又は他側に、まぐさの荷重を受ける補強材を設けたことを特徴とする。
【発明の効果】
【００１５】
本発明によれば、間隔を存して複数立設されたたて枠と、これらたて枠の上部に取り付けられた上枠と、たて枠の下部に取り付けられた下枠と、隣接するたて枠間に渡る開口上枠及び開口下枠により構成された開口部と、該開口部の上側に対応して横方向に渡された横木としてのまぐさとを備えた枠組壁工法による建築構造体において、まぐさは、建築構造体の一側端のたて枠から他側端のたて枠に渡って設けられ、これらたて枠のそれぞれに固定されているので、例えば、請求項２の如く、まぐさは、各たて枠のそれぞれに形成された切欠部に載置され、当該それらのたて枠に固定されているので、まぐさが支える荷重を各たて枠に分散させることができる。何れか特定のまぐさで大きな荷重を支えなくても済む。従って、従来５００ｍｍ間隔で配置していたたて枠を６１０ｍｍ間隔で配置しても大きな荷重を支えることができ、総じて建築構造体のコストを大幅に低減させることができるようになるものである。
【００１６】
また、各たて枠のそれぞれに形成された切欠部にまぐさを載置し、それらのたて枠にまぐさを固定することにより、まぐさが下方に撓んでしまう強度を向上させることが可能となる。これにより、まぐさは、支えた荷重で、下部に設けられた開口部下方に撓んでしまうなどといった不都合を防止することが可能となる。また、まぐさの撓み強度を向上させることができるので、例えば従来使用していたまぐさ受けが不要になると共に、従来まぐさより上部の荷重を、当該まぐさだけで支えていたが、一枚のまぐさで全体の荷重を支えることが可能となる。従って、建築構造体の軽量化を図ることができると共に、建築構造体も組み立て易くなり、総じて、建築構造体の大幅なコストダウンを図ることができるようになるものである。
【００１７】
特に、従来まぐさの撓み強度を確保するため、まぐさを複数枚重ねて使用していたので、まぐさを重ねた箇所には断熱材を入れられる空間が無く、建築構造体の断熱効果が悪化していた。係る本発明ではまぐさ一枚で充分な撓み強度を確保しているので、まぐさの内側に断熱材を設けることができる。これにより、建築物の断熱効果を大幅に向上させることが可能となる。
【００１８】
また、まぐさは建築構造体の一側端のたて枠から他側端のたて枠に渡って設けられ、これらたて枠のそれぞれに固定されているので、建築構造体に開口部を追加する場合にも、その部分のたて枠に過大な加重が特別に集中していない限り、従来のように上枠に仮支柱を設けなくても、たて枠を切り取ることができる。
【００１９】
これにより、窓や、入り口等を設ける場合に安全を確保しつつ、簡単に開口部を追加することができる。従って、建築構造体の増改築を容易に行うことができ、建築構造体の利便性を大幅に向上させることができる。
【００２０】
また、請求項３の発明によれば、請求項１又は請求項２において、開口部の一側及び／又は他側に位置するたて枠の一側及び／又は他側に、まぐさの荷重を受ける補強材を設けたので、例えば、開口部を広くした場合は、この開口部の下部に位置するまぐさの上部から大きな荷重が加わるが、この開口部の一側及び／又は他側に位置するたて枠と、これらのたて枠の一側及び／又は他側に設けた補強材とで、その大きな荷重を支えることができるようになる。これにより、大きな開口部を設けた建築構造体の安全を確実に確保することが可能となる。
【００２１】
特に、例えば建築構造体を用いた建築物の建築が完成した後でも、開口部両側のたて枠に容易に補強材を設けることができるので、建築構造体を用いた建築物が完成した後に開口部を広げる要望がある場合には、建築物の改築を容易に行うことができる。この場合、広くする開口部両側に位置するたて枠の一側及び／又は他側に、補強材を設ければ、上部から大きな荷重が加わったまぐさを極めて効果的に支えることが可能となる。従って、大幅に汎用性に優れた建築構造体を提供することができるようになるものである。
【発明を実施するための最良の形態】
【００２２】
本発明は、断熱効果の向上及びコストダウン及び軽量化を図ることができる建築構造体を提供することを主な目的とする。断熱効果の向上及びコストダウン及び軽量化を図るという目的を、たて枠に切欠部を設け、この切欠部にまぐさを載置するだけの簡単な構造で実現した。
【００２３】
次に、図面に基づき本発明の実施形態を詳述する。図１は本発明の建築構造体１０を備えた建築物５０の斜視図、図２は本発明の建築構造体１０の斜視図、図３は本発明の建築構造体１０を構成するたて枠２２の斜視図をそれぞれ示している。
【００２４】
建築構造体１０は、図１に示すように建築物５０に立設され、外壁や間仕切りなどに用いられるものである。建築構造体１０は、図２に示すように、所定の間隔（約５００ｍｍ間隔）で立設された複数のたて枠２２と、このたて枠２２の上部に取り付けられる上枠２４と、下部に取り付けられる下枠２６とから構成されている。
【００２５】
該建築物５０に用いられる材木は、長さ約２．４ｍ〜６．０ｍであるが、建築構造体１０に用いられるたて枠２２の多くは約２．４ｍ〜２．７ｍの材木にて構成されている。この建築物５０で一般的に使用される材木は、厚さ２インチ、幅４インチの２０４（ツーバイフォー）とされている。また、厚さ２インチ、幅６インチの２０６（ツーバイシックス）、厚さ２インチ、幅８インチの２０８（ツーバイエイト）、厚さ２インチ、幅１０インチの２１０（ツーバイテン）、厚さ２インチ、幅１２インチの２１２（ツーバイトエレブ）などもあり、それらも２０４（ツーバイフォー）同様建築構造体１０に用いられるものである。
【００２６】
建築構造体１０の所定位置（左右及び上下の間）には開口部２８が設けられており、この開口部２８の上側には、まぐさ４６（出入り口や窓、扉などが設けられる開口部２８上側の横木をまぐさと称す）が設けられている。即ち、建築物５０の出入り口や窓、扉などが設けられる開口部２８は、それらから大きさが決められて建築構造体１０の所定位置に設けられる。この建築構造体１０は、開口部２８以外の殆どの部分が建築物５０の壁となる。尚、まぐさ４６については後で詳しく説明する。
【００２７】
前記たて枠２２上部には、図３に示すようにまぐさ４６を載置可能な切欠部２３が設けられている。切欠部２３は、たて枠２２の長手方向上端部から下端部方向に、まぐさ４６の幅寸法（例えば１０インチ）切り欠かれると共に、たて枠２２の幅方向に、まぐさ４６の厚さ寸法距離（実際には２インチ）切り欠かれている。即ち、切欠部２３にまぐさ４６が載置された状態で、たて枠２２の上端部の面、及び、切欠部２３側の面が面一となる寸法で、たて枠２２の切欠部２３が切り欠かれている。尚、切欠部２３（まぐさ４６）は、建築物５０の外側（建築構造体１０の外側）に位置して設けられる。
【００２８】
該まぐさ４６は、建築構造体１０の一側端から他側端に渡って設けられている。詳しくは、まぐさ４６は図４に示すように、複数のたて枠２２が所定の間隔で立設された建築構造体１０の一側端（図中左側）のたて枠２２から、他側端（図中右側）のたて枠２２に渡って設けられる、所謂通しまぐさである。まぐさ４６は、図中矢印で示すように各たて枠２２に設けられたそれぞれの切欠部２３に載置された状態で、各切欠部２３に釘などの固定部材で固定される（図中点線）。
【００２９】
各たて枠２２の上端部分（図中上側）には上枠２４（図２に図示）、下端部分（図中下側）には下枠２６が、建築構造体１０の一側端のたて枠２２から、他側端のたて枠２２に渡って、釘などの固定部材にて固定される。そして、たて枠２２と、たて枠２２との間に開口部２８（例えば、２本のたて枠２２を取り除いた空間部分）が形成され、その開口部２８内にはアルミサッシュや障子などの建具が取り付けられる。尚、開口部２８は、隣接するたて枠２２空間、或いは、所定本数のたて枠２２を除いた空間部分であっても差し支えない。
【００３０】
この開口部２８の上側には、当該開口部２８両端のたて枠２２間に渡って、上枠２４同様の開口上枠２４Ａが設けられており、開口部２８の下側には、当該開口部２８両端のたて枠２２間に渡って、下枠２６同様の開口下枠２６Ａが設けられている。また、開口部２８下側の開口下枠２６Ａと下枠２６との間にはたて枠２２同様に構成されると共に、たて枠２２よりも長さが短いたて枠２２Ｂが設けられている。
【００３１】
また、開口部２８上側の開口上枠２４Ａと、上枠２４との間にはたて枠２２同様に構成されると共に、たて枠２２よりも長さが短いたて枠２２Ａが設けられている（図４に図示）。このたて枠２２Ａは、開口上枠２４Ａと上枠２４に、たて枠２２Ｂは開口下枠２６Ａと下枠２６にそれぞれ固定部材にて固定され、建築構造体１０が組み立てられる。尚、たて枠２２Ｂは、開口下枠２６Ａの両端下部にも設けられている。
【００３２】
一方、図５には参考例の建築構造体１０を示している。該建築構造体１０は、前述の実施の形態と略同じ構成を有している。以下、異なる部分について説明する。尚、前述の実施の形態と同じ部分にはこれと同じ符号を付し、説明を省略する。また、建築構造体１０は、図５に示すように、所定位置に開口部２８が設けられている。
【００３３】
開口部２８の上側には、前記まぐさ４６よりも長さが短いまぐさ４６が設けられており、このまぐさ４６は、少なくとも開口部２８一側（図中左側）と他側（図中右側）に所定寸法延在している。詳しくは、開口部２８一側に延在するまぐさ４６は、開口部２８の一側に位置するたて枠２２と、そのたて枠２２に対して開口部２８と離間する側に隣接するたて枠２２まで延在している。
【００３４】
また、開口部２８の他側に延在するまぐさ４６は、開口部２８の他側に位置するたて枠２２と、そのたて枠２２に対して開口部２８と離間する側に隣接するたて枠２２まで延在している。該まぐさ４６は、少なくとも開口部２８両側に位置するたて枠２２よりも、両外側のたて枠２２まで延在している。即ち、まぐさ４６は、少なくとも開口部２８一側のたて枠２２外側に設けられたたて枠２２から、開口部２８他側のたて枠２２外側に設けられたたて枠２２間に渡って設けられている。
【００３５】
詳しくは、まぐさ４６は、少なくとも開口部２８の一側に位置するたて枠２２の外側（開口部２８に対して一側方向外側）に位置するたて枠２２から、開口部２８の他側に位置するたて枠２２の外側（開口部２８に対して他側方向外側）に位置するたて枠２２まで延在している。係るまぐさ４６は、図中矢印で示すようにそれらのたて枠２２に設けられたそれぞれの切欠部２３に載置された状態で、各切欠部２３に釘などの固定部材で固定される（図中点線）。尚、この場合、まぐさ４６より外側（建築構造体１０の両端方向）のたて枠２２には切欠部２３を設けず、まぐさ４６を載置する箇所だけに切欠部２３を設けている。
【００３６】
この場合、まぐさ４６の下側（この場合開口部２８部分）にはたて枠２２を取り除いた状態で開口部２８を形成しているので、まぐさ４６全体に上部から荷重が加わった場合、開口部２８部分のまぐさ４６には下方に撓む方向に重力が加わる。即ち、まぐさ４６に上から重力が加わると、開口部２８部分に位置するまぐさ４６は、たて枠２２の切欠部２３を支点にして下方に弓なりに反る応力が働き、支点の外側となる開口部２８外側に延在するまぐさ４６は上方に反り上がる応力が働くことになる。しかし、まぐさ４６には、全体に上からの重力が加わっているので、両支点の外側に延在するまぐさ４６は上から加わる重力により上方に反り上がることができない。
【００３７】
この場合、両支点の外側に延在するまぐさ４６は、上よりの重力で押さえつけられているので、支点の内側には反力が加わることになる。即ち、両支点の外側に延在するまぐさ４６が上よりの重力で押さえつけられることによる反力で、支点内側のまぐさ４６には上方に反り上がる応力が作用する。これにより、支点より内側に位置するまぐさ４６が、上から加わる重力で下方に弓なりに下方に反ってしまうのを防止することができる。
【００３８】
即ち、開口部２８部分に位置するまぐさ４６が下方に撓んでしまうのを防止することができるので、従来複数枚使用していたまぐさ４６を一枚のまぐさ４６で構成することが可能となる。そして、まぐさ４６は、建築構造体１０の外側に位置して設けられるので、建築構造体１０の内側（建築物５０の室内側）には、まぐさ４６一枚、或いは、複数枚分の断熱材を設けることができる。これにより、まぐさ４６部分の断熱効果を向上させることができるので、建築物５０の断熱効果を大幅に向上させることが可能となる。
【００３９】
ここで、建築構造体１０の組み立て方法を図６、図７を用いて説明する。尚、建築物５０を建築する場所には、予め基礎１２、土台１４、根太１６が設けられると共に、根太１６の上には所定の厚さ、所定の大きさの、複数枚の合板１８が略水平に配設されているものとする。また、たて枠２２には予め、まぐさ４６を載置するための切欠部２３が設けられると共に、切欠部２３は、たて枠２２の長手方向端部より所定寸法離間した位置に設けられているものとする。
【００４０】
建築構造体１０の組み立ては、建築物５０を建築する現地組み立ての場合について説明する。建築構造体１０の組み立ては、建築構造体１０を使用する位置で、水平状態で組み立て、それを垂直に立てる。これにより、組み立てた建築構造体１０の移動を最小限に抑え、作業効率を向上している。
【００４１】
まず、所定位置に下枠２６が配置され、たて枠２２の長手方向一側端部がこの下枠２６に当接するように配置される。これを、下枠２６の長手方向どちらか一側から他側まで所定の間隔（例えば、約４５５ｍｍ間隔）で配置される。次に、上枠２４を、たて枠２２の長手方向他側の端部より所定の寸法（例えば、約１００ｍｍ）離間して配置される。このとき、たて枠２２に設けた切欠部２３を、上側（合板１８の離間側）に位置させる。また、下枠２６と上枠２４とを平行に配置し、たて枠２２は下枠２６及び上枠２４と直角になるように配置される。尚、開口部２８を設ける箇所は、予めたて枠２２は配置せずに開けておく。
【００４２】
次に、開口部２８の下側（下枠２６側）となる位置に開口下枠２６Ａを配置し、開口下枠２６Ａと下枠２６との間にたて枠２２Ｂを配置して、釘などの固定部材にて開口下枠２６Ａ側から開口下枠２６Ａとたて枠２２Ｂとが固定される。このとき、たて枠２２Ｂとたて枠２２間は、各たて枠２２間と同間隔で配置されまた、たて枠２２Ｂを複数枚使用する場合、同様に開口下枠２６Ａと下枠２６との間にたて枠２２Ｂが配置され、釘などの固定部材にて下枠２６とたて枠２２Ｂとが固定される。尚、図７では、たて枠２２Ｂを一枚のみ図示している。
【００４３】
次に、各たて枠２２の切欠部２３にまぐさ４６が載置（係合）される。そして、まぐさ４６の開口部２８側に開口上枠２４Ａが配置され、釘などの固定部材にて開口上枠２４Ａ側から開口上枠２４Ａがまぐさ４６に固定されて、開口上枠２４Ａと開口下枠２６Ａとの間に開口部２８が形成される。次に、各たて枠２２、２２Ａと上枠２４が当接され、釘などの固定部材にて上枠２４側から各たて枠２２、２２Ａと上枠２４とが固定される。
【００４４】
次に、まぐさ４６が釘などの固定部材にてまぐさ４６側から各たて枠２２の切欠部２３に固定される。更に、下枠２６が釘などの固定部材にて下枠２６側から各たて枠２２、２２Ｂに固定される。そして、たて枠２２（たて枠２２Ａ、２２Ｂを含む）に、まぐさ４６や上枠２４及び下枠２６などが固定されたら、たて枠２２の長手方向と、下枠２６（上枠２４）の長手方向の角度を直角に合わせ、建築構造体１０が完成する。係る、たて枠２２の長手方向と、下枠２６（上枠２４）の長手方向の角度を直角に合わせる技術については、従来より周知の技術であるため詳細な説明を省略する。
【００４５】
建築構造体１０が完成したら、その上に図示しない合板（両面材）が載置され、この合板は、たて枠２２（たて枠２２Ａ、２２Ｂを含む）やまぐさ４６、及び上枠２４や下枠２６などに釘などの固定部材にて固定される。合板が固定された建築構造体１０は、予め根太１６の上に配設された合板１８上の設置位置に立設される。このとき、建築構造体１０は、下枠２６を合板１８に当接させ、上枠２４を合板１８より離間させた状態で立設される。
【００４６】
次に、建築構造体１０の設置位置を確認した後、下枠２６が合板１８下に設けられた土台１４や根太１６に、釘或いはアンカーボルトなどの固定部材にて固定される。固定された建築構造体１０は仮筋かいによって倒れないように固定される。次に、建築物５０の使用用途によって、所定箇所に出入り口や窓、扉などが設けられた建築構造体１０が作られ、合板１８上の設置位置に立設されて固定される。
【００４７】
そして、建築物５０の必要箇所全てに建築構造体１０が立設されたら、入り口や窓にアルミサッシュが取り付けられた後、開口部２８を除く、各たて枠２２間に断熱材（図示せず）が入れられる。勿論、まぐさ４６の内側（室内側）にも断熱材が入れられる。開口部２８の内側には窓周りを囲む枠仕上材が設けられる。以降の建築物５０の建築については周知の技術であるため説明を省略する。尚、建築構造体１０に設けたまぐさ４６は、完成した建築物５０の外面側（室内側ではない外気側）位置して取り付けられている。
【００４８】
ところで、このような枠組壁工法で建てられた建築物５０の壁面（建築構造体１０）に窓等を追加する改築が行われる場合がある。即ち、図４に示すように、建築物５０（建築構造体１０）に、開口部２８Ａを設けて窓を作ろうとすると、たて枠２２を切断してたて枠２２Ｃを取り除かなくてはならない。しかし、従来は、切断するたて枠２２の上に大きな加重が加わっている箇所では、切断したたて枠２２Ａ上のたて枠２２Ｄが落下してしまい、建築物５０（建築構造体１０）に歪みが発生してしまう。
【００４９】
そのため、従来では切断するたて枠１２２Ａ上部の上枠１２４を仮支柱で固定しておいてから、たて枠１２２を切断して開口部１２８を設けていた（図９）。このとき、切断するたて枠１２２上に予めどの位の加重が加わっているか調べておき、固定する仮支柱もその加重に対応する強度のものを使用していた。即ち、従来では切断するたて枠１２２上にどの位の加重が加わっているか予め調べておかないと、たて枠１２２一本を切り取って小さな窓を設けることもできなかった。
【００５０】
係る本発明のように、建築構造体１０の一側端のたて枠２２から、他側端（図中右側）のたて枠２２間に渡って通しまぐさ４６を設けることにより、建築物５０（建築構造体１０）に、開口部２８Ａを設けて窓を作る場合でも、その部分のたて枠２２に過大な加重が特別に集中していない限り、従来のように上枠２４に仮支柱を設けなくても、たて枠２２を切り取ることができる。これにより、窓や、入り口等を設ける場合に安全を確保しつつ、簡単に開口部２８を設けることができる。従って、建築物５０（建築構造体１０）の増改築を容易に行うことができ、建築構造体１０の利便性を大幅に向上させることができる。
【００５１】
このように、まぐさ４６は、少なくとも開口部２８の一側に位置するたて枠２２の外側に位置するたて枠２２から、開口部２８の他側に位置するたて枠２２の外側に位置するたて枠２２まで渡って設けられ、これらたて枠２２にそれぞれに固定されている。そして、まぐさ４６は、各たて枠２２のそれぞれに形成された切欠部２３に載置され、当該それらのたて枠２２に固定されているので、まぐさ４６が支える荷重を各たて枠２２に分散させることができる。これにより、何れか特定のまぐさ４６で大きな荷重を支えなくても済む。また、何れか特定のまぐさ４６で大きな荷重を支えなくても済むので、従来５００ｍｍ間隔で配置していたたて枠２２を、６１０ｍｍ間隔で配置することができ、総じて建築構造体のコストを大幅に低減させることができる。
【００５２】
また、各たて枠２２のそれぞれに形成された切欠部２３にまぐさ４６を載置し、それらのたて枠２２にまぐさ４６を固定することにより、まぐさ４６が下方に撓んでしまう強度を向上させることが可能となる。これにより、まぐさ４６、支えた荷重で、下部に設けられた開口部２８下方に撓んでしまうなどといった不都合を防止することが可能となる。また、まぐさ４６の撓み強度を向上させることができるので、例えば従来使用していたまぐさ受けが不要になると共に、従来はまぐさより上部の荷重を複数枚のまぐさで支えていたが、一枚のまぐさ４６でその荷重を支えることが可能となる。これにより、建築構造体１０の軽量化を図ることができると共に、建築構造体１０も組み立て易くなり、総じて、建築構造体１０の大幅なコストダウンを図ることができる。
【００５３】
特に、従来まぐさ４６の撓み強度を確保するため、まぐさ４６を複数枚重ねて使用していたので、まぐさ４６を重ねた箇所には断熱材を入れるだけの空間が無かった。このため、建築構造体１０の断熱効果が悪化していた。係る本発明ではまぐさ４６一枚で充分な撓み強度を確保しているので、まぐさ４６の内側に断熱材を設けることができる。これにより、建築物５０の断熱効果を大幅に向上させることが可能となる。
【００５４】
また、各たて枠２２に設けた切欠部２３にまぐさ４６を載置し、このまぐさ４６を建築構造体１０の一側から他側間に渡って延在させているので、まぐさ４６で大きな荷重を支えることが可能となる。これにより、建築構造体１０の各たて枠２２の間隔を通常約５００ｍｍとしていたのを約６１０ｍｍまで広げることができる。従って、建築構造体１０のまぐさ４６の本数を減らすことができ、建築構造体１０（建築物５０）のコストを大幅に低減させることができるようになる。
【００５５】
一方、従来まぐさ１４６全体に上部から加わっている荷重を、まぐさ１４６両端部に設けたまぐさ受け１３０で支えていた（図９に図示）。詳しくは、まぐさ１４６は両端部に設けた一対のたて枠１２２で支えていたので、まぐさ１４６に加わっている荷重の約半分が一側のまぐさ受け１３０に加わり、残りの約半分の荷重が他側のまぐさ受け１３０に加わっていた。即ち、まぐさ１４６に加わっている荷重を、両端部の一対のまぐさ受け１３０にて２分割した状態で支えていた。
【００５６】
しかし、本発明では少なくとも開口部２８一側のたて枠２２外側に設けられたたて枠２２から、開口部２８他側のたて枠２２外側に設けられたたて枠２２間に渡ってまぐさ４６を設けているので、当該まぐさ４６全体に上部から加わる荷重は、まぐさ４６を支える複数のたて枠２２で分散して支えている。詳しくは、少なくとも開口部２８一側のたて枠２２より更に外側のたて枠２２、及び、開口部２８他側のたて枠２２より更に外側のたて枠２２でまぐさ４６を支えている。更に詳しくは、まぐさ４６に上部から加わった荷重は、少なくとも開口部２８一側に設けた２本のたて枠２２と、開口部２８他側に設けた２本のたて枠２２とで支えている。
【００５７】
即ち、まぐさ４６に加わった上部からの荷重は、まぐさ４６を支えている各たて枠２２で分散して支えている。言い換えると、上部からまぐさ４６に加わった荷重を、開口部２８両側のたて枠２２とその外側のたて枠２２とで分散して支えている。これにより、従来のように、上部からまぐさ１４６に加わった荷重を、開口部１２８両端のまぐさ受け１３０で支える場合に対して、開口部２８両側に設けたたて枠２２に加わる荷重を軽減させることができる。従って、まぐさ４６（通しまぐさ）を使用することで、従来よりも幅広の開口部２８を設けることもでき、建築構造体１０の利便性を大幅に向上させることができる。尚、まぐさ４６（通しまぐさ）を支えるたて枠２２を４本の場合で説明したが、４本より多い本数のたて枠２２でまぐさ４６（通しまぐさ）を支えれば、開口部２８両側のたて枠２２が支える荷重を更に軽減させることができる。
【００５８】
ここで、杉は５０〜１００年以上の老木に近いものは木質が堅く引張や曲げに強い性質を利用される部材に採用されていた。また、国内の材木（杉及び杉以外の材木）は急傾斜面の山林から産出されるものが多く、輸入材木に比較して高価になってしまうため殆ど採用されていなかった。
【００５９】
一方、前記建築物５０に、大量の材木が使用されているのは、既に周知である。係る建築物５０は大量の輸入材木を使用しているので高コストとなってしまうが、本発明では建築物５０、特に建築構造体１０のコストを低減させるため、杉間伐材の利用を図っている。ここで、２０〜３０年経過後の生育過程で間引き伐採された杉間伐材は、成熟した杉よりも年輪と年輪との間隔が大きいので、長手方向の圧縮強度にバラツキが大きく、安定した強度が得られ難い。このため、平屋よりも安全が要求される２階建ての建物には採用され難かった。
【００６０】
しかし、建築構造体１０に使用しているたて枠２２は、長手方向（縦方向）のみ重力を受けるが、横方向からの応力は殆ど受けることがない。該杉間伐材と、建築構造体１０に使われている一般的な材木とを比べると、長手方向の圧縮力は建築構造体１０に使われている一般的な材木と殆ど遜色は無かった。即ち、杉の欠点（長手方向に直交する方向への圧縮、引張、曲げなど弱い点）を避けて、長手方向だけに応力（重力）が加わるように使用することにより、輸入材木同等の強度を得られることができる。
【００６１】
この杉間伐材は、樹径が２０〜３０ｃｍであるため、３．０ｍを超える長い材木を大量に生産することができない。係る建築構造体１０に用いられているたて枠２２は、一般的に長さ約２．４ｍ〜２．７ｍのものが使用されている。そこで、本発明では杉間伐材が長手方向の圧縮力に強いという特長を生かして、建築構造体１０のたて枠２２に使用している。
【００６２】
即ち、従来建築構造体１０のたて枠２２に使用していた輸入材木の代わりに、杉間伐材を建築構造体１０のたて枠２２に利用することにより、建築物５０（建築構造体１０）のコストを大幅に低減させることができる。また、植林してから２０〜３０年経過した樹径２０〜３０ｃｍと比較的直径（樹径）が細い間伐材でも充分活用することができる。
【００６３】
このように、従来使用されずに廃棄されていた大量の間伐材を有効利用することが可能となる。また、間伐材によりたて枠２２を構成しているので建築構造体１０のコストを更に低減させることが可能となる。
【００６４】
一方、開口部２８を備えた建築構造体１０を用いた建築物５０の建築が完成した後、一度設けた開口部２８を更に広げたいという要望がある場合、通常（従来）は建築構造体を壊して広げていたが、本発明では次に示すような方法で建築構造体１０を改築してより大きな開口部２８を設けることができる。また、前記実施例では、基本的にまぐさ４６を支えるための補強材４８を設けていないが、開口部２８が広くなってどうしてもたて枠２２が荷重に対して強度が足りない場合、次のように補強材４８を設ければよい。尚、大きな開口部２８とは、図２の状態の建築構造体１０に設けた開口部２８を、更に広くする場合である。
【００６５】
即ち、建築物５０の建築が完成した後、大きな開口部２８を建築構造体１０に設ける場合、建築物５０の室内側に設けられた内装材及びパネル等を外し、開口部２８両側に設けたたて枠２２の外側に位置するたて枠２２の開口部２８側に補強材４８を設ける。該補強材４８、まぐさ４６を下部から支えられる形状、例えば、開口部２８両側に設けたたて枠２２同等形状、或いは、切欠部２３から上枠２４側が切断されて端部が平面形状のものにて構成されている。
【００６６】
詳しくは、図２に示すような建築構造体１０の開口部２８両側に設けたたて枠２２の外側に隣接するたて枠２２の、開口部２８側の面に補強材４８を併設、或いは、そのたて枠２２の開口部２８と反対側の面（開口部２８と離間側の面）に補強材４８が併設追加される。これにより、開口部２８両側に設けたたて枠２２の外側に隣接するたて枠２２は、併設した補強材４８により大きな荷重を支えることができる。
【００６７】
次に、開口部２８両側に設けたたて枠２２を開口部２８の高さに合わせて切り取る。この場合、たて枠２２は、開口部２８下のたて枠２２Ｂの長さに合わせて切断される。そして、各たて枠２２Ｂの上に開口下枠２６Ａが釘などの固定部材にて固定され、開口部２８の上側には、開口部２８に合わせた開口上枠２４Ａが釘などの固定部材にて固定される。これにより、建築構造体１０が改築され、開口部２８を広くすることができる（図８）。
【００６８】
そして、開口部２８を広くした後は、室内側からパネル及び内装材等が施工される。図８中のたて枠２２（図中点線）は、建築物５０を改築する以前の開口部２８が狭いときのたて枠２２であり、このたて枠２２を取り除いた分、開口部２８が広くなる。尚、追加する補強材４８は、まぐさ４６が上部から受ける荷重により、たて枠２２の開口部２８側の面、たて枠２２の開口部２８と反対側の面のどちらか一方、或いは、たて枠２２の両面に併設される。
【００６９】
また、まぐさ４６が上部から受ける荷重が大きい場合には、建築物５０の室内側にもう一枚まぐさ４６（通しまぐさ）を設けることもできる。この場合、各たて枠２２上部の室内側に切欠部２３を設けた後、その切欠部２３にまぐさ４６が取り付けられる。これにより、両まぐさ４６で上部からの大きな荷重を支えることが可能となり、この荷重は補強材４８が併設されたたて枠２２で支えることができる。これにより、まぐさ４６や、まぐさ４６を受けるたて枠２２が大きな荷重により変形してしまうなどという不具合を未然に防止することができる。
【００７０】
即ち、完成した建築物５０の開口部２８を更に広い開口部２８にしたい場合は、開口部２８両側のたて枠２２に補強材４８を設ければ、極めて容易に開口部２８を広げることができる。そして、開口部２８が広くなり、開口部２８両側のたて枠２２の強度が確保できなくなる場合には極めて効果的である。これにより、たて枠２２が大きな荷重に耐えられずに、破損してしまうなどと言った不都合を未然に防止することができる。また、建築物５０の建築が完成した後でも、内装材及びパネルなどを外すだけで、開口部２８両側に位置するたて枠２２の一側、若しくは、両側に補強材４８を併設することができるので、極めて容易に開口部２８を広くするなどの改築を行うことができる。
【００７１】
このように、開口部２８の一側及び／又は他側に位置するたて枠２２の一側及び／又は他側に、まぐさ４６の荷重を受ける補強材４８を設けたので、開口部２８を広くした場合は、この開口部２８の下部に位置するまぐさ４６の上部から大きな荷重が加わるが、この開口部２８の一側及び／又は他側に位置するたて枠２２と、これらのたて枠２２の一側及び／又は他側に設けた補強材４８とで、その大きな荷重を支えることができるようになる。これにより、大きな開口部２８を設けた建築構造体１０の安全を確実に確保することが可能となる。
【００７２】
特に、建築物５０の建築が完成した後でも、開口部２８両側のたて枠２２に容易に補強材４８を設けられるので、建築構造体１０を用いた建築物５０が完成した後に開口部２８を広げる要望がある場合には、建築物５０の改築を容易に行うことができる。この場合、広くする開口部２８両側に位置するたて枠２２の一側及び／又は他側に、補強材４８を設ければ、上部から大きな荷重が加わったまぐさ４６を極めて効果的に支えることが可能となる。従って、大幅に汎用性に優れた建築構造体１０を提供することができるようになるものである。
【００７３】
尚、実施例では、建築構造体１０を、建築物５０を建築する現地組み立てで説明したが、建築構造体１０を予め工場で組み立てて、建築現場に移送する場合についても本発明は有効である。
【００７４】
また、たて枠２２を杉間伐材で説明したが、間伐材は杉に限られるものでなく、建築物５０のコストを低減させることができれば、他の間伐材や、比較的強度の弱い材木であっても本発明は有効である。
【００７５】
また、まぐさ４６を材木で構成したが、まぐさ４６は材木に限らず、厚さ約０．５ｍｍ〜０．７ｍｍの鉄板を角Ｃ型に折曲してまぐさ４６同等の形状にした、所謂鉄板まぐさであっても差し支えない。この場合、鉄板まぐさは、建築構造体１０の一側から他側に渡って設けると共に、各たて枠２２に設けた切欠部２３に鉄板まぐさを載置し、固定すれば、大きな荷重を支えることが可能となる。これにより、建築構造体１０の各たて枠２２の間隔を通常約５００ｍｍとしていたのを約６１０ｍｍまで広げることができ、前述同様の効果を得ることが可能となる。
【００７６】
また、建築構造体１０に設けたまぐさ４６を、完成した建築物５０の外面側（室内側ではない外気側）に位置して一枚取り付けたが、まぐさ４６を複数枚設けても差し支えない。即ち、建築物５０の外面側にまぐさ４６を２枚抱き合わせて設ける、或いは、外面側に１枚、内面側に１枚設けて、合計２枚設ける。この場合、たて枠２２には、まぐさ４６を取り付けることができる幅の切欠部２３を設ける必要がある。これにより、上部からまぐさ１４６に加わる荷重が大きな場合でも、その荷重を二枚のまぐさ４６で支えることができるので、広い開口部２８を設けても、大きな荷重によりまぐさ４６が変形してしまうなどという不具合を未然に防止することができる。
【００７７】
また、開口部２８両側のたて枠２２に従来使用していたまぐさ受けを設けても本発明は有効である。この場合、まぐさ受けは従来のように開口部両側に設けたたて枠２２の内側に併設、又は、開口部両側に設けたたて枠２２の外側に併設、若しくは、開口部両側に設けたたて枠２２の両側に併設する。この場合、まぐさ４６は実施例で説明した如き通しまぐさとしているので、開口部両側に設けたたて枠２２の外側に併設することができる。これにより、上部から大きな荷重が加わったまぐさ４６を、開口部２８両側のたて枠２２とまぐさ受けとの双方で支えることができる。従って、大きな荷重によりたて枠２２が変形、或いは、破損してしまうなどといった不具合を未然に防止することができ、建築構造体１０の利便性を更に向上させることができる。
【００７８】
また、実施例では建築構造体１０の形状や寸法などを記載したが、建築構造体１０はそれらの要旨を逸脱しない範囲内で変更しても差し支えない。勿論本発明は、上記実施例のみに限定されるものではなく、この発明の趣旨を逸脱しない範囲で他の様々な変更を行っても本発明は有効である。
【図面の簡単な説明】
【００７９】
【図１】本発明の建築構造体を備えた建築物の斜視図である。
【図２】本発明の建築構造体の斜視図である。
【図３】本発明の建築構造体を構成するたて枠の斜視図である。
【図４】本発明の建築構造体（まぐさを、所定の間隔で複数立設した両端のたて枠間に渡って設けた状態）の組み立て斜視図である。
【図５】参考例の建築構造体（まぐさを、少なくとも開口部の一側に位置するたて枠の外側に位置するたて枠から、開口部の他側に位置するたて枠の外側に位置するたて枠まで渡って設けた状態）の組み立て斜視図である。
【図６】本発明の建築構造体を用いる建築物の基礎上に床パネルが組み立てられた状態の斜視図である。
【図７】同図６の床パネル上で組み立てられた建築構造体の斜視図である。
【図８】開口部を広くした状態を示す建築構造体の斜視図である。
【図９】従来の建築構造体の斜視図である。
【符号の説明】
【００８０】
１０  建築構造体
１２  基礎
１４  土台
１６  根太
１８  合板
２２  たて枠
２３  切欠部
２４  上枠
２６  下枠
２８  開口部
４６  まぐさ
５０  建築物
【図１】
0004696094.tif 000002
【図２】
0004696094.tif 000003
【図３】
0004696094.tif 000004
【図４】
0004696094.tif 000005
【図５】
0004696094.tif 000006
【図６】
0004696094.tif 000007
【図７】
0004696094.tif 000008
【図８】
0004696094.tif 000009
【図９】
0004696094.tif 000010